(57)【要約】【課題】応答性および電気的性能を満足する光電式火災警報器を提供すること。【解決手段】光電式火災警報器は、箱形の本体３３と、本体３３の一面３５から突出して設けられ且つ雰囲気中の煙濃度を測定する光電式センサを内部に収容した筒状のハウジング３７と、を有しており、さらに、ハウジング３７を覆うように本体３３の一面３５と間隔をあけて設けられた整流板３９を有している。【選択図】図５
2008152809.tif 000002
【特許請求の範囲】
【請求項１】
箱形の本体と、前記本体の一面から突出して設けられ且つ雰囲気の煙濃度を測定する光電式センサを内部に収容した筒状のハウジングと、を有する光電式火災警報器において、
前記ハウジングを覆うように前記本体の前記一面と間隔をあけて設けられた整流板を有していることを特徴とする光電式火災警報器。
【請求項２】
前記整流板における前記本体の前記一面と対向する面とは反対側の面に、装飾パネルを取り付けるための装飾パネル取付部が形成されていることを特徴とする請求項２記載の光電式火災警報器。
【発明の詳細な説明】
【技術分野】
【０００１】
本発明は、住宅の室内等に設置されてその室内等における火災の発生時に火災警報信号を外部に出力する火災警報器に係り、特に、光を用いて煙の濃度を検出することで火災の検出乃至警報を行う光電式火災警報器に関するものである。
【背景技術】
【０００２】
この種の光電式火災警報器においては、警報器の筐体内に取り込まれた警報器設置空間の雰囲気にＬＥＤ等の発光素子によって測定光を照射し、その雰囲気中に存在する微小粒子により拡散された拡散光を、直接またはプリズム等を介して、フォトダイオード等の受光素子により受光し、その雰囲気中に存在する微小粒子の濃度に対応する受光量の高低に基づいて、警報器設置空間における火災の発生の有無を検出している。
【０００３】
光電式火災警報器においてはさらに、警報器設置空間における火災の発生の検出時に、警報器設置空間にいる人に通知するための音声や表示による火災警報信号や、遠隔地の監視センター等に火災の発生を通知するための通信による火災警報信号を出力している。
【０００４】
図１０は、従来の光電式火災警報器の一例を示す斜視図である。光電式火災警報器１は、筐体５から突出した雰囲気取込部９に光電式の煙センサ（図示しない）が配置されており、火災等の際に発生する煙をスリット７から雰囲気取込部９内に取り込んで検知する構造を有する。
【０００５】
また、図１１は、従来の光電式火災警報器の他の例を示す斜視図である。光電式火災警報器１０は、デザイン性を追求し、図１０に示されるような筐体５から突出する雰囲気取込部９を無くし、光電式センサとしての煙センサ（図示せず）が内部に収容された円筒状のセンサハウジング１４（図１１では図示されていないが、図１２で図示されている）を、下ケース１１とこの下ケース１１に固定された表面がフラットな上ケース１２とでほぼ箱形に形成されるケース内に配置する。図１２に示されているように、センサハウジング１４の内部空間に発光素子と受光素子（いずれも図示せず）が適宜な位置に配置され、円筒の外周に煙を取り込む多数のスリット１４ａが設けられている。火災等の際に発生する煙は、下ケース１１の全外周側面に形成されたスリット状の開口部１１ａからケース内部に取り込まれ、センサハウジング１４の内部で前記発光素子と受光素子によって検知される。
【発明の開示】
【発明が解決しようとする課題】
【０００６】
ところが、センサハウジング１４をケース内部に配置すると、煙の流入が悪くなり、応答性が著しく損なわれるという問題がある。すなわち、ケース内部には、図１２に示すように、基板１３に配置されたセンサハウジング１４の他に、リード線１５や電池１６などの煙の進行を妨げる構成部品が存在するため、煙の流入がスムーズにいかなくなり、その結果応答性が悪化するのである。
【０００７】
図１１および図１２に示す構造を有する光電式火災警報器において、たとえば、下ケース１１の全外周側面の開口部１１ａにおいて、図１３に示すように八方向から煙を流入させた場合、流入開始から警報が作動するまでの作動時間（秒）を測定したところ、図１４に示す応答性グラフのような特性が得られた。図１４から分かるように、リード線１５や電池１６のような煙の進行を妨げる構成部品が存在する方向の応答性が悪化している。
【０００８】
また、下ケース１１の全外周側面に多くの開口部１１ａを設ける必要がある構造なので、この開口部１１ａから液体や異物が筐体内部に混入し、基板１３に付着してその電気的性能（特に消費電流）に悪影響を与える問題が生じるおそれがあった。
【０００９】
そこで、本発明は、上述した課題に鑑み、応答性および電気的性能を満足する光電式火災警報器を提供することを目的としている。
【課題を解決するための手段】
【００１０】
請求項１に記載された発明は、箱形の本体と、前記本体の一面から突出して設けられ且つ雰囲気の煙濃度を測定する光電式センサを内部に収容した筒状のハウジングと、を有する光電式火災警報器において、前記ハウジングを覆うように前記本体の前記一面と間隔をあけて設けられた整流板を有していることを特徴とする光電式火災警報器である。
【００１１】
請求項２に記載された発明は、請求項１に記載された発明において、前記整流板における前記本体の前記一面と対向する面とは反対側の面に、装飾パネルを取り付けるための装飾パネル取付部が形成されていることを特徴とするものである。
【発明の効果】
【００１２】
請求項１記載の発明によれば、本体の一面に取り付けられた整流板と本体の一面との間に、実質的に外部に開放された空間が形成されて、そこに光電式センサのハウジングが配置されることから、ハウジングを外部に露出させて、雰囲気をハウジング内にスムーズに流入させて、これにより、応答性のよい火災検知を実現させることができる。
【００１３】
請求項２記載の発明によれば、請求項１記載の発明において、装飾パネルを装飾パネル取付部に取り付けることによって外観にインテリア性を持たせることができ、特に、設置対象の壁面のデザインに合わせたデザインの装飾パネルを装飾パネル取付部に取り付けることによって、設置対象の壁面に対する違和感を抑制することができる。
【発明を実施するための最良の形態】
【００１４】
以下、本発明の実施の形態について図面を参照して説明する。
【００１５】
図１は、本発明の開示例に係る光電式火災警報器の内部構造を示す図である。引用符号１で示す本開示例の光電式火災警報器は、図１１および図１２に示す構造に加えて、図１に示すように、煙センサのセンサハウジング１４、電池１６の一部およびＬＥＤ導光筒部１８を除き、リード線１５、電池１６の他の部分、基板１３などの構成部品（電気素子及び実装用部品に相当）を覆うように、下ケース１１の内部面積にほぼ等しい大きさの平らなカバー１７（仕切板に相当）を下ケース１１の内部に固定している。ＬＥＤ導光筒部１８は、基板１３に取り付けられたＬＥＤ（発光ダイオード）からの発光を、図１中不図示の上ケース１２の表面に形成された表示窓１９（図１１参照）まで導くためのものである。
【００１６】
このカバー１７により、図２に示すように、図１１に示す上ケース１２と共に請求項中のケースを構成する下ケース１１の内部が、下ケース１１の底面側の第１の空間Ａ（仕切板により仕切られたケースの内部の一方の空間に相当）と下ケース１１の開口端側の第２の空間Ｂ（仕切板により仕切られたケースの内部の他方の空間に相当）とに仕切られて、第２の空間Ｂにのみ、下ケース１１の開口部１１ａと煙センサのセンサハウジング１４のスリット１４ａが臨む。
【００１７】
そして、このカバー１７で下ケース１１の内部を第１の空間Ａと第２の空間Ｂとに仕切ることで、第２の空間Ｂには、煙センサのセンサハウジング１４、電池１６の一部およびＬＥＤ導光筒部１８の部分を除いて、リード線１５、電池１６の他の部分、基板１３などの構成部品で形成される凹凸部分が無くなり、スリット状の開口部１１ａから取り込まれる火災監視領域の雰囲気（たとえば、煙）の流れる方向と平行な平面が、カバー１７によって形成されて、整流板の役目を果たすことになる。
【００１８】
そこで、図１に示す内部構造を有する光電式火災警報器１において、たとえば、下ケース１１の全外周側面のスリット状の開口部１１ａにおいて、図１３に示すように八方向から煙を流入させた場合、流入開始から警報が作動するまでの作動時間（秒）を測定したと
ころ、図３に示す応答性グラフのような特性が得られた。図３から分かるように、リード線１５や電池１６のような煙の進行を妨げる構成部品がカバー１７で覆われているため、全方向においてほぼ２０秒以内に応答するという良い特性が得られた。
【００１９】
このように、本開示例の光電式火災警報器１によれば、デザイン性を追求したほぼ箱形のフラットな外観で、煙センサのセンサハウジング１４をケースに内蔵する形態の光電式火災警報器１０において、応答性および電気的性能を満足させることができる。また、カバー１７により、煙センサのセンサハウジング１以外のほとんどの構成部品が覆われるため、側面の開口部１１ａから侵入する液体や異物が基板１３等の部品に付着するおそれもなくなる。
【００２０】
以上の通り、本発明の開示例について説明したが、本発明はこれに限らず、種々の変形、応用が可能である。
【００２１】
たとえば、図１では、下ケース１１の開口部１１ａと煙センサのセンサハウジング１４のスリット１４ａとを全て第２の空間Ｂに臨ませるために、カバー１７を下ケース１１の底面寄りに配置したことから、電池１６の一部がカバー１７で覆われていないが、下ケース１１の開口部１１ａと煙センサのセンサハウジング１４のスリット１４ａとを全て第２の空間Ｂに臨ませる必要がなければ、あるいは、下ケース１１の開口部１１ａと煙センサのセンサハウジング１４のスリット１４ａとが、もう少々下ケース１１の開口端側に偏って配置されていれば、電池１６が完全に覆われるようにカバー１７を下ケース１１の開口端寄りに配置しても良い。
【００２２】
また、上述した開示例では、開口部１１ａは、スリット状に形成されているが、図４の本発明に係る第１実施形態に示すような形態でも良い。すなわち、図４において、光電式火災警報器１は、下ケース１１に固定されたカバー１７の四隅に支柱２０が設けられ、この支柱２０にネジ２１等で上ケース１２が固定される。この場合、カバー１７と上ケース１２の間には、図示されていないが煙センサのセンサハウジング１とＬＥＤ導光筒部１８のみがある。各支柱２０間のカバー１７と上ケース１２の隙間は、開口部１１ａとして作用する。
【００２３】
そのような構成を具体的に採用したのが、図５の斜視図に示す本発明の第２実施形態に係る光電式火災警報器であり、図５中引用符号３１で示す本実施形態の光電式火災警報器は、本体３３と、本体３３の前面３５から突設された円筒状のセンサハウジング３７と、このセンサハウジング３７を覆うように本体３３の前面３５に取り付けられた整流板３９とを有している。
【００２４】
前記センサハウジング３７は、その周面全体に亘って雰囲気取込用のスリット３７ａが形成されており、センサハウジング３７の内部には、スリット３７ａから取り込まれた光電式火災警報器３１の設置空間の雰囲気の光拡散量を測定する発光受光素子（図示せず）等が収容されている。
【００２５】
尚、前記発光受光素子による雰囲気の光拡散量の測定結果は、本体３３の内部に設けられた不図示のマイクロコンピュータにおいて雰囲気の煙濃度を割り出すために用いられ、割り出した煙濃度に基づいてマイクロコンピュータは、光電式火災警報器３１の設置空間における火災の発生を検知し、本体３３の前面３５に設けたインジケータ４３やスピーカ４５等により警報する。
【００２６】
前記本体３３は、図６に本体の左右方向中央で切断した縦断面図で示すように、前ケース３３ａと後ケース３３ｂとにより前後二分割できるように構成されており、前ケース３
３ａと後ケース３３ｂとは、本体３３の内部に向けて前ケース３３ａと後ケース３３ｂとのそれぞれから突設されたねじ止め用ボス３３ｃ，３３ｄどうしを、後ケース３３ｂ側から挿入した取り付けねじ３６により締結することで、取り付け固定される。
【００２７】
尚、本体３３の内部には、上述した不図示のマイクロコンピュータの他、基板４１等が収容されており、この基板４１には、不図示のマイクロコンピュータや、センサハウジング３７内の不図示の発光受光素子に関連する回路を構成する電気素子（図示せず）等が実装されていて、これら不図示のマイクロコンピュータや電気素子、基板４１が、電気素子及び実装用部品に相当している。
【００２８】
図５に示すように、前記本体３３の前面でもある前ケース３３ａの前記前面３５には、その四隅から、センサハウジング３７の突設高さと同じ寸法で円柱状の取付用ボス３３ｅ（支柱に相当）がそれぞれ突設されており、その内部には、図６に示すように、係止用段部３３ｇを有する貫通孔３３ｆが形成されている。
【００２９】
前記整流板３９は、その裏面の四隅からそれぞれ突設された取付片３９ａを前ケース３３ａの取付用ボス３３ｅの貫通孔３３ｆに挿入して、各取付片３９ａの先端の係止爪３９ｂをスナップフィット方式で係止用段部３３ｇに係止させることで、本体３３の前面３５側に固定されて、センサハウジング３７の突設高さと同じ寸法だけ本体３３の前面３５から離間した位置に配置される。
【００３０】
尚、本実施形態の光電式火災警報器３１では、本体３３の前面３５を除く部分と、各取付用ボス３３ｅと、整流板３９とによって、ケースが構成されており、本体３３の前面３５によって仕切板が構成されている。そして、各取付用ボス３３ｅ間の整流板３９と本体３３の前面３５との隙間は、開口部３３ｈとして作用する。
【００３１】
また、本実施形態の光電式火災警報器３１では、本体３３の内部の第１の空間Ａが仕切板により仕切られたケースの内部の一方の空間に相当し、整流板３９と本体３３の前面３５との間の第２の空間Ｂが仕切板により仕切られたケースの内部の他方の空間に相当している。
【００３２】
このように構成された本実施形態の光電式火災警報器３１によれば、見かけ上は、本体３３の前面３５を除く部分と、各取付用ボス３３ｅと、整流板３９とによって構成されるケースの内部にセンサハウジング３７を収容した形態で、実質的には、本体３３の前面３５から突設されたセンサハウジング３７をケースの外部に露出させつつ、整流板３９と本体３３の前面３５とにより凹凸のない雰囲気の流路を形成して、開口部３３ｈから取り込まれる火災監視領域の雰囲気（たとえば、煙）をセンサハウジング３７のスリット３７ａにスムーズに流入させて、これにより、応答性のよい火災検知を実現させることができる。
【００３３】
しかも、本実施形態の光電式火災警報器３１では、不図示のマイクロコンピュータや、センサハウジング３７内の不図示の発光受光素子に関連する回路を構成する電気素子（図示せず）等を、全て、内外を連通させる開口の存在しない本体３３の内部に収容していることから、外部から侵入する液体や異物が基板４１等の部品に付着するのを防止することができる。
【００３４】
そして、以上の第２実施形態の光電式火災警報器３１の説明からも明らかなように、図４の第１実施形態の光電式火災警報器１における下ケース１１は、第２実施形態の光電式火災警報器３１における本体３３に相当するものということになり、かつ、図４の光電式火災警報器１における上ケース１２は、第２実施形態の光電式火災警報器３
１における整流板３９に相当するものということになる。
【００３５】
尚、本発明を実施する上で、光電式火災警報器の外形は、上述した各実施形態の光電式火災警報器のような、平面視略矩形に限る必要はなく、例えば図７及び図８に正面図及び側面図で示す、本発明の第３実施形態に係る光電式火災警報器５１のような、平面視略円形（略楕円形）の形状であってもよい。
【００３６】
ちなみに、第３実施形態の光電式火災警報器５１は、図８に示すように、前ケース５３ａと後ケース５３ｂとにより前後二分割できる本体５３と、この本体５３の前面５５から突設された円筒状のセンサハウジング５７と、このセンサハウジング５７を覆うように本体５３の前面５５に取り付けられた整流板５９とを有している。
【００３７】
前記センサハウジング５７は、その周面全体に亘って雰囲気取込用のスリット５７ａが形成されており、センサハウジング５７の内部には、スリット５７ａから取り込まれた光電式火災警報器５１の設置空間の雰囲気の光拡散量を測定する発光受光素子（図示せず）等が収容されている。
【００３８】
前記整流板５９は、本体５３の前面でもある前ケース５３ａの前面５５の左右２箇所から、センサハウジング５７の突設高さと同じ寸法でそれぞれ突設された円柱状の取付用柱５３ｅ，５３ｅによって、本体５３に取り付けられており、本体５３の内部によって、仕切板により仕切られたケースの内部の一方の空間に相当する第１の空間Ａが形成されており、また、整流板５９と本体５３の前面５５との隙間によって、仕切板により仕切られたケースの内部の他方の空間に相当する第２の空間Ｂが形成されていて、図７に示すように、各取付用柱５３ｅ間の整流板３９と本体３３の前面３５との隙間が、開口部５３ｈとして作用している。
【００３９】
そして、本体５３の内部の第１の空間Ａには、第２実施形態の光電式火災警報器３１と同様に、マイクロコンピュータや基板（いずれも図示せず）等が収容されており、この基板には、マイクロコンピュータや、センサハウジング５７内の不図示の発光受光素子に関連する回路を構成する電気素子（図示せず）等が実装されていて、これら不図示のマイクロコンピュータや電気素子、基板が、電気素子及び実装用部品に相当している。
【００４０】
このように構成された第３実施形態の光電式火災警報器５１によっても、第２実施形態の光電式火災警報器３１と同様の効果を得ることができる。
【００４１】
そして、上述した第２実施形態と第３実施形態の光電式火災警報器３１，５１によれば、インジケータ４３やスピーカ４５の存在やセンサハウジング３７，５７の突設により凹凸形状となりがちな本体３３，５３の前面３５，５５が、平坦な表面を有する整流板３９，５９によって覆われる。
【００４２】
そのため、表面が平坦な整流板３９，５９の特性を活用して、整流板３９，５９の表面にその周縁部を残して例えば０．２〜０．５ｍｍ程度引っ込めた装飾パネル取付部（図示せず）を形成し、光電式火災警報器３３，５３を設置する壁面と同じデザインの、あるいは、その壁面のデザインに合わせた別のデザインの装飾パネル（図示せず）を取り付けて、光電式火災警報器３１，５１の設置により損なわれがちな設置箇所のインテリア性を向上させることができるようにしてもよい。
【００４３】
例えば、図５に示す第２実施形態の光電式火災警報器３１の整流板３９に上述した装飾パネルの構成を適用した第４実施形態の光電式火災警報器について説明すると、図９に設
置状態の正面図で示すように、光電式火災警報器３１Ａを設置する壁面の木目調の化粧パネルＰに合わせて、整流板３９の表面３９ｃにその周縁部を残して形成した凹部状の装飾パネル取付部３９ｄに、木目調の装飾パネル３９ｅを取り付けるように構成することができる。
【００４４】
そして、装飾パネル取付部３９ｄを装飾パネル３９ｅが繰り返し着脱可能な構成とすれば、光電式火災警報器３１Ａの設置場所の変更に伴い、装飾パネル取付部３９ｄに取り付ける装飾パネル３９ｅを、変更後の設置場所の壁面のデザインに合わせた新たな装飾パネル３９ｅに取り替えることも可能となる。
【００４５】
ちなみに、装飾パネル取付部３９ｄに取り付ける装飾パネル３９ｅは、光電式火災警報器３１Ａを設置する壁面のデザインに合わせたデザインのものである必要は必ずしもなく、それでも光電式火災警報器３１Ａの外観にインテリア性を持たせることは十分に可能であるが、図９に示すような、壁面の化粧パネルＰのデザインに合わせたデザインの装飾パネル３９ｅを装飾パネル取付部３９ｄに取り付けることにすれば、化粧パネルＰに対する光電式火災警報器３１Ａの違和感をなくすことができるので、有利である。
【００４６】
また、装飾パネル取付部３９ｄは必ずしも整流板３９の表面３９ｃに対して凹部状に形成する必要はなく、表面３９ｃと同一平面上であってもよく、表面３９ｃよりも一段突出した凸部状に形成してもよい。
【００４７】
そして、上述した第４実施形態の光電式火災警報器３１Ａの整流板３９の装飾パネル取付部３９ｄに関する構成は、図７及び図８の第３実施形態に係る光電式火災警報器５１の整流板５９の表面はもとより、図４の光電式火災警報器１における、整流板に相当する上ケース１２の表面にも採用することができる。
【００４８】
尚、上述した各実施形態では、火災の発生の検出時にインジケータ４３やスピーカ４５による警報を出力する光電式火災警報器１，３１，３１Ａ，５１を例に取って説明したが、本発明は、自ら警報は出力せず単に火災の発生の検出を行う火災検知器についても、同様に適用可能であることは言うまでもない。
【図面の簡単な説明】
【００４９】
【図１】本発明の開示例に係る光電式火災警報器の内部構造を示す図である。
【図２】図１の光電式火災警報器の内部構造を側面から見た斜視図である。
【図３】図１の光電式火災警報器の応答性を示す応答性グラフである。
【図４】本発明の第１実施形態に係る光電式火災警報器を示す斜視図である。
【図５】本発明の第２実施形態に係る光電式火災警報器を示す斜視図である。
【図６】図５の光電式火災警報器を本体の左右方向中央で切断した縦断面図である。
【図７】本発明の第３実施形態に係る光電式火災警報器の正面図である。
【図８】図７の光電式火災警報器の側面図である。
【図９】本発明の第４実施形態に係る光電式火災警報器の設置状態を示す正面図である。
【図１０】従来の光電式火災警報器の一例を示す斜視図である。
【図１１】従来の光電式火災警報器の他の例を示す斜視図である。
【図１２】図１１の光電式火災警報器の内部構造を示す図である。
【図１３】図１１の光電式火災警報器の応答性を試験する煙流入方向を示す図である。
【図１４】図１１の光電式火災警報器の応答性を示す応答性グラフである。
【符号の説明】
【００５０】
１，３１，３１Ａ，５１  光電式火災警報器
１１  下ケース（ケース、本体）
１１ａ，３３ｈ，５３ｈ  開口部
１２  上ケース（ケース、整流板）
１３  基板（電気素子及び実装用部品）
１４，３７，５７  センサハウジング
１４ａ，３７ａ，５７ａ  スリット
１５  リード線（電気素子及び実装用部品）
１６  電池（電気素子及び実装用部品）
１７  カバー（仕切板）
２０  支柱（ケース）
３３，５３  本体（ケース）
３３ａ，５３ａ  前ケース（ケース）
３３ｂ，５３ｂ  後ケース（ケース）
３３ｅ  取付用ボス（支柱）
３５，５５  前面（仕切板）
３９，５９  整流板（ケース）
３９ｃ  表面
３９ｄ  装飾パネル取付部
３９ｅ  装飾パネル
４１  基板（電気素子及び実装用部品）
５３ｅ  取付用柱（支柱）
Ａ  第１の空間（仕切板により仕切られたケースの内部の一方の空間）
Ｂ  第２の空間（仕切板により仕切られたケースの内部の他方の空間）
【図１】
2008152809.tif 000003
【図２】
2008152809.tif 000004
【図３】
2008152809.tif 000005
【図４】
2008152809.tif 000006
【図５】
2008152809.tif 000007
【図６】
2008152809.tif 000008
【図７】
2008152809.tif 000009
【図８】
2008152809.tif 000010
【図９】
2008152809.tif 000011
【図１０】
2008152809.tif 000012
【図１１】
2008152809.tif 000013
【図１２】
2008152809.tif 000014
【図１３】
2008152809.tif 000015
【図１４】
2008152809.tif 000016